(57)【要約】【課題】  バーコードや２次元コードなどの情報コードを所定の読取装置で読み取ることにより、読み取った階層位置に対応する属性とその詳細情報とを所定のデータベースから取得し、出力する情報取得システムを提供することを目的とする。【解決手段】  物の属性の関連性が階層構造であって、属性とその属性に対する階層位置情報と詳細情報とを記憶する情報記憶手段から、階層位置情報を含む情報コードを読み取る情報コード読取装置から階層位置情報を受け取ることにより、情報を取得する情報取得システムであって、情報コードに含まれる階層位置情報を情報コード読取装置から受け取る階層位置情報取得手段と、階層位置情報を階層位置情報取得手段から受け取り、その階層位置情報に対応する属性と詳細情報とを情報記憶手段から検索して取得する情報取得手段と、取得した属性と詳細情報とを出力する情報出力手段と、を有する情報取得システムである。【選択図】  図１
2007042018.tif 000002
【特許請求の範囲】
【請求項１】
物の属性についての階層位置情報を含む情報コードを読み取る情報コード読取装置から前記階層位置情報を受け取ることにより、前記物の属性を階層構造で関連づけており、前記属性とその属性に対する階層位置情報と詳細情報とを記憶する情報記憶手段から情報を取得する情報取得システムであって、
前記情報取得システムは、
前記情報コードに含まれる階層位置情報を前記情報コード読取装置から受け取る階層位置情報取得手段と、
前記階層位置情報を前記階層位置情報取得手段から受け取り、その階層位置情報に対応する属性と詳細情報とを前記情報記憶手段から検索して取得する情報取得手段と、
前記取得した属性と詳細情報とを出力する情報出力手段と、
を有することを特徴とする情報取得システム。
【請求項２】
前記情報取得手段は、更に、
所定の入力装置から利用者が入力した階層位置情報を受け付け、前記階層位置情報取得手段から受け取った階層位置情報の一部又は全部を、前記入力装置から受け付けた階層位置情報に変更し、前記変更後の階層位置情報に基づいて、その階層位置情報に対応する属性と詳細情報とを前記情報記憶手段から検索して取得する、
ことを特徴とする請求項１に記載の情報取得システム。
【請求項３】
前記情報出力手段は、
前記情報取得手段が取得した属性と詳細情報とを表形式にして出力する、
ことを特徴とする請求項１に記載の情報取得システム。
【請求項４】
前記情報取得手段は、更に、
前記情報取得手段が取得した属性と詳細情報とを前記情報出力手段から出力するか否かの判定の処理を行い、
前記情報出力手段は、更に、
前記判定の結果、出力許可となった場合にのみ、前記取得した属性と詳細情報とを出力する、
ことを特徴とする請求項１から請求項３のいずれかに記載の情報取得システム。
【請求項５】
物の属性を階層構造で関連づけており、前記属性とその属性に対する階層位置情報と詳細情報とを記憶する記憶装置と、プログラムの演算処理を実行する演算装置とを有するコンピュータ端末で機能させる情報取得プログラムであって、
前記情報取得プログラムは、前記演算装置に読み込まれる階層位置情報取得機能と情報取得機能と情報出力機能とを有しており、
前記階層位置情報取得機能は、
前記物の属性についての階層位置情報を含む情報コードを読み取る情報コード読取装置から、前記情報コードに含まれる階層位置情報を受け取り、
前記情報取得機能は、
前記階層位置情報を前記階層位置情報取得機能から受け取り、その階層位置情報に対応する属性と詳細情報とを前記記憶装置から検索して取得し、
前記情報出力機能は、
前記取得した属性と詳細情報とを出力する、
ことを特徴とする情報取得プログラム。
【請求項６】
前記情報取得機能は、更に、
所定の入力装置から利用者が入力した階層位置情報を受け付け、前記階層位置情報取得機能から受け取った階層位置情報の一部又は全部を、前記入力装置から受け付けた階層位置情報に変更し、前記変更後の階層位置情報に基づいて、その階層位置情報に対応する属性と詳細情報とを前記記憶装置から検索して取得する、
ことを特徴とする請求項５に記載の情報取得プログラム。
【請求項７】
前記情報出力機能は、
前記情報取得機能が取得した属性と詳細情報とを表形式にして出力する、
ことを特徴とする請求項５に記載の情報取得プログラム。
【請求項８】
前記情報取得機能は、更に、
前記情報取得手段が取得した属性と詳細情報とを前記情報出力手段から出力するか否かの判定の処理を行い、
前記情報出力機能は、更に、
前記判定の結果、出力許可となった場合にのみ、前記取得した属性と詳細情報とを出力する、
ことを特徴とする請求項５から請求項７のいずれかに記載の情報取得プログラム。
【発明の詳細な説明】
【技術分野】
【０００１】
本発明は、バーコードや２次元コードなどの情報コードを所定の読取装置で読み取ることにより、読み取った階層位置に対応する属性とその詳細情報とを所定のデータベースから取得し、出力する情報取得システムに関する。
【背景技術】
【０００２】
現在、バーコードや２次元コード（以下、「情報コード」と呼ぶ）と呼ばれる、各種の情報を符号化して記録する情報記憶方法がある（特許文献１など）。このような情報コードは、日常生活の様々な場所に用いられており、例えば特許文献２に示すように、宅配荷物用の宛名ラベルであったり、特許文献３に示すように、工場で生産される製品の工程管理であったりする。
【０００３】
【特許文献１】特開平７−２５４０３７号公報
【特許文献２】特開２００１−２７２９１４号公報
【特許文献３】特開２００４−１０２７４６号公報
【発明の開示】
【発明が解決しようとする課題】
【０００４】
情報コードは、省スペースで多くの情報を記憶することが出来るので、利用範囲が極めて広く、現在でも広く利用されている。しかし従来の情報コードでは、例えば特許文献２のような宛名ラベルに用いられた場合には届け先の郵便番号や住所や、特許文献３のように工場で生産される製品の工程管理に用いられた場合には部品情報（部品番号、部品の使用が記載された図面の番号など）の如き、詳細な情報が符号化されていることとなる。その為、情報コードの読取装置を有するものであれば誰でもがこれらの情報を容易に読み出すことが出来てしまい、また、情報の改竄なども容易に行える。
【０００５】
また情報コードとして２次元コードを用いた場合、約２０００バイト程度の情報を符号化することが出来るが、工業製品のように部品のアイテム数が、例えば１億点クラスになると、部品に関する総ての詳細な情報を記憶することが出来ない問題点もある。つまり２０００バイトの範囲内でしか情報を符号化することが出来ない。
【課題を解決するための手段】
【０００６】
そこで本発明者は、情報コードには、属性や詳細な情報（詳細情報）そのものを符号化するのではなく、属性とその詳細情報に対応する、階層位置に関する情報、即ち「階層位置情報」（属性情報の階層間の関係を示す情報であって、ある属性の階層構造に於ける位置や場所を示す情報）を符号化しておき、その階層位置情報を読取装置で読み取ることで、属性と詳細情報の階層位置を取得する。そしてその階層位置に従って属性と詳細情報とをデータベースなどから取得することによって、その物に関する属性と詳細情報とを出力する情報取得システムを発明した。
【０００７】
請求項１の発明は、物の属性についての階層位置情報を含む情報コードを読み取る情報コード読取装置から前記階層位置情報を受け取ることにより、前記物の属性を階層構造で関連づけており、前記属性とその属性に対する階層位置情報と詳細情報とを記憶する情報記憶手段から情報を取得する情報取得システムであって、前記情報取得システムは、前記情報コードに含まれる階層位置情報を前記情報コード読取装置から受け取る階層位置情報取得手段と、前記階層位置情報を前記階層位置情報取得手段から受け取り、その階層位置情報に対応する属性と詳細情報とを前記情報記憶手段から検索して取得する情報取得手段と、前記取得した属性と詳細情報とを出力する情報出力手段と、を有する情報取得システム。
【０００８】
本発明のように構成することで、従来のように情報コードに、その物に関する詳細な情報を符号化する必要がなくなり、階層位置情報のみを符号化しておけばよい。これによって従来よりも情報の無権限読み取りが原理上は出来なくなるので、情報秘匿性が高まり、また改竄される可能性が低くなる。また属性や詳細情報そのものを符号化するわけではないので、例えば工業製品のような、部品に関する情報が多くても、その部品の属性や詳細情報に関する階層位置を符号化しておけば良いだけなので、従来技術とは異なり、利用するメディアの記憶容量に依存せず、任意の容量の情報を伝達することが出来る。
【０００９】
請求項２の発明は、前記情報取得手段は、更に、所定の入力装置から利用者が入力した階層位置情報を受け付け、前記階層位置情報取得手段から受け取った階層位置情報の一部又は全部を、前記入力装置から受け付けた階層位置情報に変更し、前記変更後の階層位置情報に基づいて、その階層位置情報に対応する属性と詳細情報とを前記情報記憶手段から検索して取得する、情報取得システムである。
【００１０】
情報コードから読み取った階層位置情報に基づいて属性や詳細情報の検索、取得を行うのみならず、階層位置情報の一部又は全部を本発明のように利用者が適宜変更できるようにすることで、その物に関連する属性や詳細情報を容易に取得することが出来る。
【００１１】
請求項３の発明は、前記情報出力手段は、前記情報取得手段が取得した属性と詳細情報とを表形式にして出力する、情報取得システムである。
【００１２】
取得した結果を本発明のように表形式で出力すると良い。
【００１３】
請求項４の発明は、前記情報取得手段は、更に、前記情報取得手段が取得した属性と詳細情報とを前記情報出力手段から出力するか否かの判定の処理を行い、前記情報出力手段は、更に、前記判定の結果、出力許可となった場合にのみ、前記取得した属性と詳細情報とを出力する、情報取得システムである。
【００１４】
このような処理を設けることによって、情報を出力可能な利用者を限定することが出来、情報漏洩を防止することが出来る。
【００１５】
請求項５の発明は、物の属性を階層構造で関連づけており、前記属性とその属性に対する階層位置情報と詳細情報とを記憶する記憶装置と、プログラムの演算処理を実行する演算装置とを有するコンピュータ端末で機能させる情報取得プログラムであって、前記情報取得プログラムは、前記演算装置に読み込まれる階層位置情報取得機能と情報取得機能と情報出力機能とを有しており、前記階層位置情報取得機能は、前記物の属性についての階層位置情報を含む情報コードを読み取る情報コード読取装置から、前記情報コードに含まれる階層位置情報を受け取り、前記情報取得機能は、前記階層位置情報を前記階層位置情報取得機能から受け取り、その階層位置情報に対応する属性と詳細情報とを前記記憶装置から検索して取得し、前記情報出力機能は、前記取得した属性と詳細情報とを出力する、情報取得プログラムである。
【００１６】
本発明のように、請求項１の発明をコンピュータ端末上で実現するプログラムとすることもできる。
【００１７】
請求項６の発明は、前記情報取得機能は、更に、所定の入力装置から利用者が入力した階層位置情報を受け付け、前記階層位置情報取得機能から受け取った階層位置情報の一部又は全部を、前記入力装置から受け付けた階層位置情報に変更し、前記変更後の階層位置情報に基づいて、その階層位置情報に対応する属性と詳細情報とを前記記憶装置から検索して取得する、情報取得プログラムである。
【００１８】
情報コードから読み取った階層位置情報に基づいて属性や詳細情報の検索、取得を行うのみならず、階層位置情報の一部又は全部を本発明のように利用者が適宜変更できるようにすることで、その物に関連する属性や詳細情報を容易に取得することが出来る。
【００１９】
請求項７の発明は、前記情報出力機能は、前記情報取得機能が取得した属性と詳細情報とを表形式にして出力する、情報取得プログラムである。
【００２０】
取得した結果を本発明のように表形式で出力すると良い。
【００２１】
請求項８の発明は、前記情報取得機能は、更に、前記情報取得手段が取得した属性と詳細情報とを前記情報出力手段から出力するか否かの判定の処理を行い、前記情報出力機能は、更に、前記判定の結果、出力許可となった場合にのみ、前記取得した属性と詳細情報とを出力する、情報取得プログラムである。
【００２２】
このような処理を設けることによって、情報を出力可能な利用者を限定することが出来、情報漏洩を防止することが出来る。
【発明の効果】
【００２３】
このように情報コードには属性と詳細情報の階層位置情報を符号化しておくことによって、従来のように情報コードが読み取られただけでは属性や詳細情報そのものを把握することが出来ないので情報の秘匿性を高め、改竄される可能性が低くなる。また属性や詳細情報そのものを符号化するわけではないので、例えば工業製品のように部品に関する情報が多くても、その部品の属性や詳細情報に関する階層位置を符号化しておけば良いだけなので、従来よりも格段に情報量が少なくて済む。またその物に関する属性と詳細情報とを取得できるので、その階層位置を用いて様々な方法での情報の取得が可能となる。
【００２４】
更に、必要に応じて、情報の取得可能な利用者を限定することが出来るので、情報の漏洩に対して、情報取得システム全体としての耐性を有する。この為、安全な商取引情報の通信を行う為の基盤を提供することが出来る。
【発明を実施するための最良の形態】
【００２５】
本発明のシステム構成の一例を図１のシステム構成図及び図２のハードウェア構成図を用いて説明する。
【００２６】
図２のハードウェア構成図は、本発明の情報取得システム１を実行するコンピュータ端末のハードウェア構成の一例を示した図であって、ＣＰＵなどの演算装置１１、ＲＡＭやハードディスクなどの記憶装置１２を有するコンピュータ端末（サーバも含む）上でその処理が実現される。このコンピュータ端末には、更にキーボード、マウス、情報コード読取装置２などの入力装置１０、ディスプレイなどの表示装置１４、プリンタなどの印刷装置１５、他のコンピュータ端末とインターネット等のネットワークを介してデータの送受信を行う通信装置１３を更に備えていると良い。
【００２７】
情報取得システム１を実現するプログラムは、当該コンピュータ端末のハードディスクに記録されており、それが所定の操作が行われることによってＲＡＭなどに読み込まれ、その機能（手段）を演算装置１１で実行することで、情報取得システム１の処理が行われる。これらの処理に用いる情報は、データベースやデータファイルなどの各種のファイル保存形式でＲＡＭやハードディスクなどの記憶装置１２に記憶され、その処理の際に適宜読み出されることで処理が行われる。また処理結果もＲＡＭやハードディスクなどの記憶装置１２に書き出され、適宜記憶される。本発明に於ける各手段は、その機能が論理的に区別されているのみであって、物理上あるいは事実上は同一の領域を為していても良い。
【００２８】
情報取得システム１は、階層位置情報取得手段３と情報取得手段５と情報記憶手段４と情報出力手段６とを有する。また情報取得システム１は情報コード読取装置２との間で情報の送受信が可能である。
【００２９】
情報コード読取装置２は、物に付された情報コードを読み取る装置であり、例えば情報コードがバーコードの場合、情報コード読取装置２として光学式のバーコードリーダーなどが該当する。情報コードを読み取ることによって、読み取った情報（階層位置情報）を情報取得システム１に渡す。
【００３０】
階層位置情報取得手段３は、情報コード読取装置２で読み取った、物に付された情報コードに於ける階層位置情報を、情報コード読取装置２から受け取る手段である。
【００３１】
情報記憶手段４は、物の属性同士を階層構造として関連づけており、属性とその属性に対応付けられた詳細情報とを記憶する手段であって、この属性は、階層構造に於ける属性の位置づけである階層位置情報とも対応付けて記憶されている。このような階層構造による情報の記憶の方法の概念図を図４に示す。図４では、例えば、階層位置Ａに対応する属性として「製造企業」があり、更にその属性に対応付けられた詳細情報として「製造企業名」の情報が記憶されている。また階層位置Ｄに対応する属性として「開閉装置」があり、更にその属性に対応付けられた詳細情報として「部品コード」の情報が記憶されている。階層位置Ｅに対応する属性として「低圧開閉装置」があり、更にその属性に対応付けられた詳細情報として「定格遮断容量」、「極散」の情報が記憶されている。階層位置Ｇに対応する属性として「配線用遮断機」があり、更にその属性に対応付けられた詳細情報として「フレームの大きさ」、「取り付け方式」の情報が記憶されている。このようにして記憶される情報記憶手段４の概念図を図５に示す。
【００３２】
情報取得手段５は、階層位置情報取得手段３で受け取った階層位置情報に基づいて、当該階層位置に対応する属性とその詳細情報とを情報記憶手段４から検索し、取得する手段である。尚、情報取得手段５は、情報記憶手段４から情報を取得するにあたり、入力装置１０から、当該情報の取得（出力）を要求した利用者の属性情報（例えば、会社、部署、個人を識別する名称や番号等）などの入力を受け付けることにより、階層位置情報に基づいて取得した情報の出力が出来るかを判定する処理を設けても良い。例えば、利用者が入力装置１０から自分の勤務する企業名の入力を受け付け、情報取得手段５は、階層位置情報に基づいて、情報記憶手段４から製造企業名を取得し、入力を受け付けた企業名と取得した製造企業名とが一致している場合には、後述する情報出力手段６から出力を許可し、不一致ならば出力を許可しないとする判定処理を設けることが出来る。
【００３３】
情報出力手段６は、情報取得手段５が情報記憶手段４から取得した、階層位置情報に対応する属性と詳細情報とを表示装置１４、印刷装置１５、通信装置１３などにより出力する手段である。例えば取得した属性や詳細情報をディスプレイなどの表示装置１４で表示したり、プリンタなどの印刷装置１５で印刷したり、他のコンピュータ端末にインターネット等のネットワークを介して通信装置１３が送信したりする。
【００３４】
次に本発明の処理プロセスの一例を図３のフローチャート、図１のシステム構成図、図３のハードウェア構成図を用いて説明する。本実施例では、情報コードとしてＱＲコードを用い、情報コードが付される物として、甲社で製造される製品（配線用遮断機）の場合を説明する。尚、この配線用遮断機は、甲社で製造される開閉装置のうち、低圧開閉装置に用いられる部品であるとする。この配線用遮断機の属性の階層位置の概念図が図４であるとする。また情報コードはＱＲコードの他、１次元バーコード、他の２次元バーコードで符号化される他、ＩＣタグなどに情報として記憶されていても良い。
【００３５】
図４に示す階層位置の概念図の場合、製造企業（甲社）が製造する開閉装置には低圧開閉装置と高圧開閉装置があり、低圧開閉装置として配線用遮断機、漏電遮断機、低圧遮断機があり、高圧開閉装置として真空遮断機、ガス遮断機がある。そして製造企業、開閉装置、低圧開閉装置、高圧開閉装置、配線用遮断機、漏電遮断機、低圧遮断機、真空遮断機、ガス遮断機にはそれぞれ階層位置の情報が付されており、順にＡ、Ｄ、Ｅ、Ｆ、Ｇ、Ｈ、Ｉ、Ｊ、Ｋとして設定されている。そして本実施例では情報コードが付される物の属性が配線用遮断機なので、情報コードに含まれる階層位置情報として「Ａ、Ｄ、Ｅ、Ｆ」が符号化されている。例えば配線用遮断機の駆体の表面に当該情報コードが付されていると良い。
【００３６】
また各階層位置に対応する属性には、各々詳細情報が対応する。例えば階層位置Ａの属性「製造企業」には詳細情報として「製造企業名」が、階層位置Ｄの属性「開閉装置」には詳細情報として「部品コード」が、階層位置Ｅの属性「低圧開閉装置」には詳細情報として「定格遮断容量」と「極散」が、階層位置Ｇの属性「配線用遮断機」には詳細情報として「フレームの大きさ」と「取り付け方式」の情報が対応付けられている。それ以外の階層位置Ｆ、Ｈ、Ｉ、Ｊ、Ｋの属性にも各々詳細情報が対応付けられている。尚、配線用遮断機の各部品について、表形式で模式的に示したものを図１１に示す。これも情報記憶手段４に記憶されているとする。
【００３７】
まず本発明の利用者は、配線用遮断機に付された情報コードを情報コード読取装置２により読み取る（Ｓ１００）。この読取により図４に示すように、当該物の属性の階層位置情報を階層位置情報取得手段３が取得する（Ｓ１１０）。
【００３８】
例えば情報コードが図４に示すＱＲコードであった場合、それを情報コード読取装置２で読み取ることによって、階層位置情報取得手段３は、情報コード読取装置２が読み取った階層位置Ａ、Ｄ、Ｅ、Ｇの階層位置情報を情報コード読取装置２から受け取る。
【００３９】
情報取得手段５は、階層位置情報取得手段３で受け取った当該物に付された情報コードから読み取られた階層位置情報（ここでは階層位置Ａ、Ｄ、Ｅ、Ｇの情報）に基づいて、当該階層位置に対応する属性と詳細情報を情報記憶手段４から取得する（Ｓ１２０）。
【００４０】
ここでは階層位置情報として階層位置Ａ、Ｄ、Ｅ、Ｇなので、その階層位置情報に対応する属性と詳細情報を取得する。情報記憶手段４が図５及び図１１に示した状態だとすると、属性「製造企業」の詳細情報が「製造企業名：甲社」であり、属性「開閉装置」の詳細情報が「部品コード：ＡＢＵＨＩＮ００１、ＡＢＵＨＩＮ００２」であり、属性「低圧開閉装置」の詳細情報が「定格遮断容量:５９６．８、５９６．７」と「極散：ＪＰ」であり、属性「配線用遮断機」の詳細情報が「フレームの大きさ：５０ＡＦ、１００ＡＦ」と「取り付け方式：表面取り付け」であるので、階層位置情報として取得した階層位置に対応する属性と詳細情報を情報記憶手段４から取得して、表形式に変換する。表形式に変換された結果を図６に示す。
【００４１】
情報出力手段６は、情報取得手段５で階層位置情報に基づいて取得した属性と詳細情報を表示装置１４、印刷装置１５、通信装置１３などにより出力する（Ｓ１３０）。例えば取得した属性と詳細情報をディスプレイなどの表示装置１４で表示したり、プリンタなどの印刷装置１５で印刷したり、他のコンピュータ端末にインターネット等のネットワークを介して通信装置１３が送信したりする。例えば図６が結果としてディスプレイに表示されたりする。
【００４２】
このように情報コードに物の属性と詳細情報とを直接、符号化するのではなく、その階層位置情報を符号化しておき階層位置情報を読み取り、該当する属性と詳細情報を取得することによって、情報コードとして符号化する情報を大幅に減らすことが出来る。また従来のように情報コードにそのまま詳細情報までを符号化した場合、物に付された情報コードは、例えば属性として「配線用遮断機」と詳細情報として「フレームの大きさ：５０ＡＦ、１００ＡＦ」と「取り付け方式：表面取り付け」とが符号化されていることとなる。従って配線用遮断機の部品コードや製造企業名、定格遮断容量、極散などの属性の異なる詳細情報については別途符号化しない限り情報を取得することは出来ないが、これらの総ての情報を符号化してしまうと大量の情報が必要となる。一方、本件発明では階層位置情報を符号化しているに過ぎないので、その階層位置情報に対応する属性と詳細情報が容易に取得することが出来ると共に、情報コードに符号化する情報も大幅に減らすことが出来る。
【００４３】
尚、上述の情報コードに全ての階層位置情報を符号化しておかなくても、同じ階層について一部をワイルドカード（任意の文字数の任意の文字列。ＵＮＩＸ（登録商標）の「＊」、「？」など）にすることもできる。例えば図７に示すように情報コードに符号化する階層位置情報として「＊、Ｄ、Ｅ、Ｇ」としても良い。そうするとここで「＊」がワイルドカードなので、同じ階層に於ける他の階層位置も含むこととなる。そうすると、図７の場合では属性「製造企業」として階層位置Ａに限定されず、階層位置Ｂ、階層位置Ｃも含むこととなる。従って「甲社」の他にも「乙社」、「丙社」も含み、「Ａ、Ｄ、Ｅ、Ｇ」、「Ｂ、Ｄ、Ｅ、Ｇ」、「Ｃ、Ｄ、Ｅ、Ｇ」の３通りの階層位置に対応する属性と詳細情報を情報取得手段５は取得する。このようにして取得された情報の一例を図８に示す。
【００４４】
また情報記憶手段４に記憶する情報の階層の概念図が図９に示す場合であって、情報コードから読み取った階層位置情報が「Ａ、Ｘ、＊」であった場合、階層位置Ａ、階層位置Ｘ、階層位置Ｘの下位に属する全ての階層位置（ここでは階層位置ＸＡ、階層位置ＸＢ）の属性と詳細情報を、情報取得手段５は情報記憶手段４から取得することとなる。
【００４５】
このように従来のように情報コードに属性情報をそのまま符号化するのではなく、本発明のように階層位置情報を符号化しておくことによって、幅広い形で情報を取得することが出来る。特にワイルドカードを含めておくことによって、一通りでない階層位置情報となるので、情報の取得可能性が広がる。
【００４６】
また、情報取得手段５で情報取得の際に、情報コード読取装置２で読み取った階層位置情報の一部又は全部をそのまま用いるのではなく、階層位置情報の一部又は全部をワイルドカードや他の階層位置情報に変更できるようにしても良い。この場合、情報取得手段５は、階層位置情報の入力を入力装置１０などから受け付け、その階層位置情報の一部を変更する。例えば情報コード読取装置２が読み取った階層位置情報が「Ａ、Ｘ、ＸＡ」でそれを階層位置情報取得手段３が情報コード読取装置２から受け取ったとき、階層位置情報のうち「ＸＡ」をワイルドカード「＊」や他の階層位置「ＸＢ」などに変更する入力を入力装置１０から行い、その入力を情報取得手段５で受け付けることによって、情報記憶手段４に於ける情報取得の際には階層位置情報として「Ａ、Ｘ、＊」や「Ａ、Ｘ、ＸＢ」を階層位置情報としても良い。
【００４７】
更に情報コード読取装置２で読み取った階層位置情報に、詳細情報を限定する入力を入力装置１０から情報取得手段５が受け付けることによって、ピンポイントの情報を取得できるようにしても良い。例えば読み取った階層位置情報が「Ａ、Ｄ、Ｅ、Ｇ」のときに、その階層位置情報が階層位置情報取得手段３から情報取得手段５に渡されるが、ここでは階層位置情報を変更する入力を行うので、変更する階層位置情報の入力を情報取得手段５が受け付ける。
【００４８】
例えば入力装置１０から階層位置情報を「Ａ」を「＊」に変更する入力を受け付け、更に「部品コード＝ＡＢＵＨＩＮ００２」の情報を付加する入力を受け付ける。そうするとそれらの情報を情報取得手段５が受け付ける。情報取得手段５は、入力装置１０から受け付けた階層位置情報「Ａ」を「＊」に変更する情報と、「部品コード＝ＡＢＵＨＩＮ００２」を付加する情報とに基づいて、階層位置情報取得手段３から受け取った階層位置情報「Ａ、Ｄ、Ｅ、Ｇ」を「＊、Ｄ、Ｅ、Ｇ、部品コード＝ＡＢＵＨＩＮ００２」に変更する。そして変更後の階層位置情報に基づいて、情報取得手段５は、情報記憶手段４から該当する階層位置情報に対応する情報を取得する。この際に、ワイルドカード「＊」と詳細情報「部品コード＝ＡＢＵＨＩＮ００２」の限定が付されているので、階層位置Ｄの「部品コード」として「ＡＢＵＨＩＮ００２」以外の部品コードは取得しない。従って、図１０に示すような情報を情報記憶手段４から取得し、情報出力手段６で出力する。
【００４９】
更に、従来は一度、情報コードに詳細な情報をコード化してしまうと、その内容を更新、削除、登録等を行うことが出来ない。そこで、上述の処理に加えて、本発明の情報取得システム１の情報記憶手段４に記憶する情報の更新、削除、登録等を行う情報更新手段（図示せず）を設けることによって、これが可能となる。つまり、更新する情報とその階層位置情報とを入力装置１０から情報更新手段が受け付け、それを情報記憶手段４で更新したり、削除する情報の指定を入力装置１０から受け付け、当該情報を情報記憶手段４から削除したり、また同様に登録する情報とその階層位置情報とを入力装置１０から受け付け、当該情報を情報記憶手段４に登録したりする。これによって、情報コード自体を変更せずとも、階層位置情報に対応付けて情報の更新が可能となる。
【産業上の利用可能性】
【００５０】
このように情報コードには属性と詳細情報の階層位置情報を符号化しておくことによって、従来のように情報コードが読み取られただけでは属性や詳細情報そのものを把握することが出来ないので情報の秘匿性を高め、改竄される可能性が低くなる。また属性や詳細情報そのものを符号化するわけではないので、例えば工業製品のように部品に関する情報が多くても、その部品の属性や詳細情報に関する階層位置を符号化しておけば良いだけなので、従来よりも格段に情報量が少なくて済む。またその物に関する属性と詳細情報とを取得できるので、その階層位置を用いて様々な方法での情報の取得が可能となる。
【００５１】
更に、必要に応じて、情報の取得可能な利用者を限定することが出来るので、情報の漏洩に対して、情報取得システム全体としての耐性を有する。この為、安全な商取引情報の通信を行う為の基盤を提供することが出来る。
【図面の簡単な説明】
【００５２】
【図１】本発明のシステム構成の一例を示すシステム構成図である。
【図２】本発明を機能させるコンピュータ端末のハードウェア構成図の一例である。
【図３】本発明の処理プロセスの一例を示すフローチャートである。
【図４】階層位置に対応する情報とその情報に対応付けられた詳細情報とを階層構造として記憶することを示す概念図である。
【図５】情報記憶手段の概念図の一例である。
【図６】表形式に変換された結果の一例である。
【図７】階層位置に対応する情報とその情報に対応付けられた詳細情報とを階層構造として記憶することを示す概念図の他の例である。
【図８】表形式に変換された結果の他の例である。
【図９】階層位置に対応する情報とその情報に対応付けられた詳細情報とを階層構造として記憶することを示す概念図の他の例である。
【図１０】表形式に変換された結果の他の例である。
【図１１】配線用遮断機の各部品の対応関係を示す概念図の一例である。
【符号の説明】
【００５３】
１：情報取得システム
２：情報コード読取装置
３：階層位置情報取得手段
４：情報記憶手段
５：情報取得手段
６：情報出力手段
１０：入力装置
１１：演算装置
１２：記憶装置
１３：通信装置
１４：表示装置
１５：印刷装置
【図１】
2007042018.tif 000003
【図２】
2007042018.tif 000004
【図３】
2007042018.tif 000005
【図４】
2007042018.tif 000006
【図５】
2007042018.tif 000007
【図６】
2007042018.tif 000008
【図７】
2007042018.tif 000009
【図８】
2007042018.tif 000010
【図９】
2007042018.tif 000011
【図１０】
2007042018.tif 000012
【図１１】
2007042018.tif 000013